(57)【特許請求の範囲】
【請求項１】
機械のフレーム上にエンジンと、このエンジンによって駆動される油圧ポンプとを、エンジンの軸方向の一側で、上記油圧ポンプが機械のメンテナンス口を介して外部からメンテナンスされる状態で並んで搭載するとともに、上記油圧ポンプの上方に、上記エンジンからの排ガスを浄化処理する排ガス後処理装置を支持手段によって設置し、この排ガス後処理装置は、上記メンテナンス口から遠い側に設置されて排ガス中の粒子状物質を除去する排ガス浄化装置を常設のレギュラー設備、排ガス中のＮＯｘを低減させるＮＯｘ還元触媒を上記メンテナンス口に近い側に上記排ガス浄化装置と並んで追加される設備として構成する建設機械において、上記ＮＯｘ還元触媒を、上記油圧ポンプとの間にメンテナンス用の空間が形成される状態で、上記排ガス浄化装置よりも高い位置に設置するように上記支持手段を構成したことを特徴とする建設機械。
【請求項２】
上記支持手段として、上記排ガス後処理装置が設置されるテーブルを上記油圧ポンプの上方に設け、このテーブルにおける上記ＮＯｘ還元触媒が設置される側の端部を、上記ＮＯｘ還元触媒が設置されるＮＯｘ還元触媒設置部として、上記油圧ポンプとの間にメンテナンス用の空間が形成されるように上記排ガス浄化装置が設置される部分よりも高く設定し、テーブル全体として階段状に形成したことを特徴とする請求項１記載の建設機械。
【請求項３】
上記ＮＯｘ還元触媒設置部を、上記テーブルにおける上記ＮＯｘ還元触媒が設置される側の端部のうち、上記排ガス浄化装置とＮＯｘ還元触媒の並び方向を左右方向としたときの前後方向の両端部を除く中間部に形成したことを特徴とする請求項２記載の建設機械。
【請求項４】
上記排ガス浄化装置とＮＯｘ還元触媒の並び方向を左右方向としたときの前後両側において上記テーブルを上記フレーム上に支持する一対の支持脚を備え、この両支持脚をテーブルに着脱自在に取付けたことを特徴とする請求項２または３記載の建設機械。
【請求項５】
上記排ガス浄化装置とＮＯｘ還元触媒の並び方向を左右方向としたときの前後両側において上記テーブルを上記フレーム上に支持する一対の支持脚を備え、上記両支持脚を、上記テーブルと機械のフレームとの間に取付けられる主脚と、この主脚から左右方向にずれた位置で主脚とフレームとの間に取付けられる補助脚とによって構成したことを特徴とする請求項２〜４のいずれか１項に記載の建設機械。
【請求項６】
上記主脚の上端部を上記テーブルに、下端部を上記フレームにそれぞれ上下及び左右方向に位置調整自在に取付ける一方、上記補助脚を、直交する二つの接合面を持ったＬ字形の複数の脚部品を互いの接合面で前後及び左右両方向に位置調整自在に連結して構成し、この補助脚の上端部を上記主脚に上下及び左右方向に、下端部をフレームに上下及び前後方向にそれぞれ位置調整自在に取付けたことを特徴とする請求項５記載の建設機械。
【発明の詳細な説明】
【技術分野】
【０００１】
本発明はエンジン排気系に排ガス後処理装置が設けられた油圧ショベル等の建設機械に関するものである。
【背景技術】
【０００２】
油圧ショベルを例にとって背景技術を説明する。
【０００３】
図７は下部走行体上に搭載された上部旋回体のアッパーフレーム１を示す。
【０００４】
このアッパーフレーム１の一端部（図の左側端部。以下、この端部側を前方として説明する）にブーム、アーム、バケットを備えた図示しない作業アタッチメントが装着される一方、後端部にエンジンルーム２が形成され、このエンジンルーム２にエンジン３が設けられる。
【０００５】
ここでは、例としてエンジン３がエンジンルーム２に左右方向に設けられた場合で説明する。
【０００６】
このエンジン３の左右一側方(右側方の場合で説明する)に油圧ポンプ４がエンジン出力軸に接続された状態で設けられるとともに、この油圧ポンプ４の上方を横切る状態で排ガス後処理装置としての排ガス浄化装置(（ＤＰＦ：Diesel Particulate Filter  排ガスフィルタ、煤浄化装置ともいわれる)５が前後方向に設置される。
【０００７】
図７中、６はエンジン３の左側に設置された熱交換器、７は冷却ファンである。
【０００８】
排ガス浄化装置５は、図８に示すように、アッパーフレーム１上に支持脚８を介して設けられた支持手段としてのテーブル９上に載置支持された状態でフレキシブル排気管１０によってエンジン３に接続され、排ガス中の有害物質、とくに煤等のＰＭ（Particulate Matter：粒子状物質）を除去して浄化する。１１は排気筒である。
【０００９】
図８中、１２はアッパーフレーム１上にエンジンルーム２を形成するためのガードパネルで、このガードパネル１２の右側面にメンテナンス口１３が開口形成され、外部からこのメンテナンス口１３を介して油圧ポンプ４(ポンプ上面に設けられたレギュレータ４ａを含む)のメンテナンスが行われる。
【００１０】
ここで、排ガス浄化装置５と油圧ポンプ４との間に、両者を遮蔽する状態で防火用の隔壁１４が設けられ、この隔壁１４よりも右側で油圧ポンプ４の上方の空間が、メンテナンス口１３から油圧ポンプ４のメンテナンスが可能なメンテナンス空間となる。
【００１１】
一方、排ガス規制強化の要請がある場合に、図９(ａ)に示すように排ガス浄化装置５の右側(メンテナンス口１３に近い側)に、排ガス後処理装置の一種である、排ガス中のＮＯｘを低減させるＮＯｘ還元触媒１５が、追加の設備として排ガス浄化装置５と並んで、かつ、同装置５とコネクトパイプ１６で接続された状態で設置される(特許文献１参照)。
【００１２】
この場合、排ガス浄化装置５とＮＯｘ還元触媒１５とに跨って左右に長いテーブル１７が防火用の隔壁を兼ねる状態で設けられる。１８はこのテーブル１７の支持脚である。
【００１３】
なお、テーブル１７及び支持脚１８が排ガス浄化装置用とＮＯｘ還元触媒用とに分けて設けられる場合もある。
【先行技術文献】
【特許文献】
【００１４】
【特許文献１】特開２００９−７９４２２号公報
【発明の概要】
【発明が解決しようとする課題】
【００１５】
ところが、図９(ａ)に示すように排ガス浄化装置５を低位置に置いたままその右側の同一水平面上にＮＯｘ還元触媒１５を並設すると、油圧ポンプ４の上方空間がテーブル１７によって塞がれてしまうため、テーブル１７及びＮＯｘ還元触媒１５を取外さない限り、ポンプ上方からのメンテナンス(とくにレギュレータ４ａの点検や取替え)ができなくなる。このため、油圧ポンプ４のメンテナンス性が極端に悪くなる。
【００１６】
この点の対策として、図９(ｂ)に示すようにテーブル１７全体の位置を上げて排ガス浄化装置５及びＮＯｘ還元触媒１５を高位置に移動させることにより、油圧ポンプ４の上方メンテナンス空間を広げることが考えられる。
【００１７】
しかし、こうするとフレキシブル排気管１０を延長させる必要があるためコストアップとなる。
【００１８】
また、排ガス後処理装置の位置を上げる分、図示のようにガードパネル１２の上面のうち同装置が設置される端部(図例では右側端部)１２ａを上方に突出させる必要があるが、この部分(以下、突出部分という)１２ａの幅方向(左右方向)の範囲が広くなるため、オペレータの後方視界(正確には斜め後方視界)が悪化する。
【００１９】
しかも、ＮＯｘ還元触媒１５は排ガス規制強化の要請に応じて追加される設備であって、これが設けられない場合には、メンテナンス性のメリットも得られない。
【００２０】
そこで本発明は、排ガス浄化装置を低位置に置いたまま、ＮＯｘ還元触媒の追加時のポンプ上方のメンテナンス空間を確保することができる建設機械を提供するものである。
【課題を解決するための手段】
【００２１】
本発明は、上記課題を解決する手段として、機械のフレーム上にエンジンと、このエンジンによって駆動される油圧ポンプとを、エンジンの軸方向の一側で、上記油圧ポンプが機械のメンテナンス口を介して外部からメンテナンスされる状態で並んで搭載するとともに、上記油圧ポンプの上方に、上記エンジンからの排ガスを浄化処理する排ガス後処理装置を支持手段によって設置し、この排ガス後処理装置は、上記メンテナンス口から遠い側に設置されて排ガス中の粒子状物質を除去する排ガス浄化装置を常設のレギュラー設備、排ガス中のＮＯｘを低減させるＮＯｘ還元触媒を上記メンテナンス口に近い側に上記排ガス浄化装置と並んで追加される設備として構成する建設機械において、上記ＮＯｘ還元触媒を、上記油圧ポンプとの間にメンテナンス用の空間が形成される状態で、上記排ガス浄化装置よりも高い位置に設置するように上記支持手段を構成したものである。
【００２２】
この構成によれば、レギュラー設備である排ガス浄化装置は低位置に置いたまま、追加設備であるＮＯｘ還元触媒を排ガス浄化装置よりも高い位置、すなわち、油圧ポンプとの間に十分なメンテナンス空間が確保される状態で設置することができる。
【００２３】
これにより、フレキシブル排気管を延長する必要がないため、コスト上有利となる。
【００２４】
また、エンジンルームを形成するガードパネルの上面のうち、ＮＯｘ還元触媒に対面する部分のみを上方に突出させればよく、この突出部分の範囲を最小限に狭くできるため、オペレータの後方視界の点で有利となる。
【００２５】
本発明において、上記支持手段として、上記排ガス後処理装置が設置されるテーブルを上記油圧ポンプの上方に設け、このテーブルにおける上記ＮＯｘ還元触媒が設置される側の端部を、上記ＮＯｘ還元触媒が設置されるＮＯｘ還元触媒設置部として、上記油圧ポンプとの間にメンテナンス用の空間が形成されるように上記排ガス浄化装置が設置される部分よりも高く設定し、テーブル全体として階段状に形成するのが望ましい(請求項２)。
【００２６】
この構成によれば、ＮＯｘ還元触媒を排ガス浄化装置よりも高位に設置するという目的を、簡単かつコンパクトな支持構造によって実現することができるとともに、両者の設置も容易となる。
【００２７】
また、本発明において、上記ＮＯｘ還元触媒設置部を、上記テーブルにおける上記ＮＯｘ還元触媒が設置される側の端部のうち、上記排ガス浄化装置とＮＯｘ還元触媒の並び方向を左右方向としたときの前後方向の両端部を除く中間部に形成するのが望ましい(請求項３)。
【００２８】
この構成によれば、テーブルの前後両端部を、排ガス浄化装置が設置される部分と同じ高さレベルとし、テーブルに対する支持脚の取付けをすべて同一水平面上で行うことができるため、組立の能率と精度を上げることができる。
【００２９】
また、本発明において、上記排ガス浄化装置とＮＯｘ還元触媒の並び方向を左右方向としたときの前後両側において上記テーブルを上記フレーム上に支持する一対の支持脚を備え、この両支持脚をテーブルに着脱自在に取付けるのが望ましい(請求項４)。
【００３０】
この構成によれば、排ガス後処理装置(排ガス浄化装置のみ、または同装置とＮＯｘ還元触媒の双方)をテーブルごと着脱することができるため、とくに油圧ポンプの取替え等の大がかりなメンテナンス作業の能率が良いものとなる。
【００３１】
さらに、本発明において、上記排ガス浄化装置とＮＯｘ還元触媒の並び方向を左右方向としたときの前後両側において上記テーブルを上記フレーム上に支持する一対の支持脚を備え、上記両支持脚を、上記テーブルと機械のフレームとの間に取付けられる主脚と、この主脚から左右方向にずれた位置で主脚とフレームとの間に取付けられる補助脚とによって構成するのが望ましい(請求項５，６)。
【００３２】
この構成によれば、テーブルの前後両側を、主脚と補助脚という左右方向にずれた二位置でフレーム上に支持することができるため、テーブルの支持状態、すなわち排ガス後処理装置の支持状態が安定したものとなる。
【００３３】
この場合、上記主脚の上端部を上記テーブルに、下端部を上記フレームにそれぞれ上下及び左右方向に位置調整自在に取付ける一方、上記補助脚を、直交する二つの接合面を持ったＬ字形の複数の脚部品を互いの接合面で前後及び左右両方向に位置調整自在に連結して構成し、この補助脚の上端部を上記主脚に上下及び左右方向に、下端部をフレームに上下及び前後方向にそれぞれ位置調整自在に取付けるのが望ましい(請求項６)。
【００３４】
この構成によれば、テーブルと支持脚との間、及び支持脚とフレームとの間の上下、前後、左右の各方向の寸法誤差を吸収できるため、組立が容易となる。
【発明の効果】
【００３５】
本発明によると、ＮＯｘ還元触媒の有無に柔軟に対応しながら、コスト及びメンテナンスの両面で有利となる。
【図面の簡単な説明】
【００３６】
【図１】本発明の第１実施形態に係る排ガス後処理装置の配置を示す機械の概略断面図である。
【図２】図１のＩＩ−ＩＩ線断面図である。
【図３】テーブルと支持脚の斜視図である。
【図４】同側面図である。
【図５】同背面図である。
【図６】本発明の第２実施形態に係る排ガス後処理装置の配置を示す機械の概略断面図である。
【図７】本発明の適用対象例である油圧ショベルのアッパーフレームと機器配置を示す平面図である。
【図８】従来の排ガス浄化装置の配置を示す機械の概略断面図である。
【図９】(ａ)は排ガス浄化装置とＮＯｘ還元触媒を並設して排ガス後処理装置を構成した状態、(ｂ)は同装置の高さを上げた状態をそれぞれ示す図７相当図である。
【発明を実施するための形態】
【００３７】
本発明の実施形態を図１〜図６によって説明する。
【００３８】
実施形態は、背景技術の説明に合わせて油圧ショベルを適用対象としている。
【００３９】
実施形態において、次の点は図７〜図９に示す従来技術と同じである。なお、背景技術の説明に合わせて前後、左右の方向性も従来技術と同じとしている。
【００４０】
(Ａ)  アッパーフレーム１の後端部にエンジンルーム２が形成され、このエンジンルーム２にエンジン３が左右方向に設けられる点。
【００４１】
(Ｂ)  このエンジン３の右側方に油圧ポンプ４がエンジン出力軸に接続された状態で設けられるとともに、この油圧ポンプ４の上方を横切る状態で排ガス後処理装置のレギュラー設備としての排ガス浄化装置(（ＤＰＦ：Diesel Particulate Filter  排ガスフィルタ、煤浄化装置ともいわれる)５が前後方向に設置される点。
【００４２】
(Ｃ)   排ガス浄化装置５は、フレキシブル排気管１０によってエンジン３に接続され、排ガス中の有害物質、とくに煤等のＰＭ（Particulate Matter：粒子状物質）を除去して浄化する点。
【００４３】
(Ｄ)  アッパーフレーム１上にエンジンルーム２を形成するためのガードパネル１２が設けられ、このガードパネル１２の右側面に開口形成されたメンテナンス口１３を介して外部から油圧ポンプ４(ポンプ上面に設けられたレギュレータ４ａを含む)のメンテナンスが行われる点。
【００４４】
(Ｅ)   排ガス規制強化の要請がある場合に、排ガス浄化装置５の右側(メンテナンス口１３に近い側)に、排ガス後処理装置の一種である、排ガス中のＮＯｘを低減させるＮＯｘ還元触媒１５が、追加の設備として同装置５とコネクトパイプ１６で接続された状態で設置される点。
【００４５】
その他、図１，２において図６〜図８に示す部分と同一部分には同一符号を付して示している。
【００４６】
第１実施形態(図１〜図５参照)
第１実施形態においては、排ガス浄化装置５が、アッパーフレーム１上に支持脚２１を介して設けられた支持手段としてのテーブル２２の上面に設置され、このテーブル２２の右側端部(ＮＯｘ還元触媒１５が設置される側の端部)上面に、ＮＯｘ還元触媒設置部２２ａが設置されている。
【００４７】
このＮＯｘ還元触媒設置部２２ａは、油圧ポンプ４の上方に同ポンプ４をメンテナンスするのに十分な空間(メンテナンス空間)Ｓが形成されるように、排ガス浄化装置５が設置される部分(以下、排ガス浄化装置設置部という)２２ｂよりも高く設定され、テーブル２２全体として階段状に形成されている。
【００４８】
これにより、排ガス浄化装置５を従来と同じ低位置に設置する一方、ＮＯｘ還元触媒１５を同装置５よりも一段高い位置に設置し、両者の高低差(段差)によって油圧ポンプ用のメンテナンス空間Ｓを確保する構成をとっている。
【００４９】
この構成によれば、図９(ｂ)に示すように両者とも高位置に設置した場合と比較して、フレキシブル排気管１０及び支持脚２１を延長する必要がないため、コストアップを最小限に抑えながら、油圧ポンプ４(とくにレギュレータ４ａ)の良好なメンテナンス性を確保することができる。
【００５０】
また、ガードパネル１２の上面のうち、ＮＯｘ還元触媒１５に対面する部分のみを上方に突出させればよく、図１と図９(ｂ)の比較から明らかなようにこの突出部分１２ｂの範囲を最小限に狭くすることができる。このため、オペレータの後方視界の点で有利となる。
【００５１】
ここで、テーブル２２のＮＯｘ還元触媒設置部２２ａは、図３に示すようにテーブル右側端部のうち、前後方向の両端部を除く中間部のみに形成されている。
【００５２】
いいかえれば、テーブル２２の前後両端部は、排ガス浄化装置設置部２２ｂと同じ高さレベルに設定されている。
【００５３】
こうすれば、テーブル２２に対する支持脚２１の取付けをすべて同一水平面上で行うことができるため、組立の能率と精度を上げることができる。
【００５４】
支持脚２１は、テーブル２２の前後両側においてテーブル２２とアッパーフレーム１(正確にはアッパーフレーム１上に設けられたブラケット２３，２４)との間に取付けられる。
【００５５】
この両側支持脚２１，２１に関する構成を図３〜図５によって詳述する。なお、両側支持脚２１，２１は同一構成のため、片側のみについて説明する。
【００５６】
支持脚２１は、テーブル２２とブラケット２３との間に取付けられる主脚２５と、この主脚２５に対して左側にずれた位置で主脚２５とブラケット２４との間に取付けられる補助脚２６とによって構成される。
【００５７】
主脚２５は、下半部が少し外向きに開いた一枚板として形成され、上端部が、テーブル下面に取付けられた脚取付座２７にボルト２８…によって着脱自在に取付けられるとともに、下端部がブラケット２３に複数のボルト、ナット(一括符号「２９」で示す。以下のすべてのボルト、ナットについても一括符号で示す)によって取付けられている。
【００５８】
この構成により、テーブル２２が支持脚２１に対して着脱自在となり、排ガス後処理装置(排ガス浄化装置５のみ、または同装置５とＮＯｘ還元触媒１５の双方)をテーブル２２ごと着脱することができるため、とくに油圧ポンプ４の取り替え等の大がかりなメンテナンス作業の能率が良いものとなる。
【００５９】
また、テーブル２２の前後両側を、主脚２５と補助脚２６という左右方向にずれた二位置でアッパーフレーム１上に支持することができるため、テーブル２２の支持状態、すなわち排ガス後処理装置の支持状態が安定したものとなる。
【００６０】
補助脚２６は、垂直及び水平の二つの接合面を持ったＬ字形の二つの脚部品(第１、第２脚部品という)３０，３１が、互いの水平部分で複数のボルト、ナット３２…で連結されて成り、上端部(第１脚部品３０の垂直部分)が主脚２５の上部左側に、下端部(第２脚部品３１の垂直部分)がブラケット２４にそれぞれ複数のボルト、ナット３３…、３４…によってそれぞれ取付けられている。
【００６１】
以下、脚取付座２７(テーブル２２)に対する主脚２５の取付部分を「主脚取付部分」、脚部品３０，３１の連結部分を「脚部品連結部分」、主脚２５に対する補助脚２６の取付部分を「補助脚取付部分」という。
【００６２】
主脚取付部分、脚部品連結部分、補助脚取付部分の取付穴(図示省略)は、いずれもボルト径よりも大径の穴として形成され、結合される二部材がこの取付穴とボルト外周の隙間の範囲で位置調整自在となっている。
【００６３】
すなわち、テーブル２２に対して主脚２５が上下及び左右方向に、主脚２５に対して補助脚２６が上下及び左右方向に、第１脚部品３０に対して第２脚部品３１が前後及び左右方向にそれぞれ位置調整自在に取付けられ、あるいは連結されている。
【００６４】
また、主脚２５の下端部はブラケット２３(アッパーフレーム１)に対して上下及び左右方向に、補助脚２６の下端部(第２脚部品３１)はブラケット２４(アッパーフレーム１)に対して上下及び前後方向にそれぞれ位置調整自在に取付けられている。
【００６５】
この構成により、テーブル２２と支持脚２１との間、及び支持脚２１とアッパーフレーム１(ブラケット２３，２４)との間の上下、前後、左右の各方向の寸法誤差を吸収できるため、組立が容易となる。
【００６６】
第２実施形態(図６参照)
第１実施形態との相違点のみを説明する。
【００６７】
第２実施形態においては、第１実施形態の支持脚２１がそのままガードパネル上面近くまで上方に延長されて支持手段としてのテーブル２２が高い位置に設定され、このテーブル２２の下面に排ガス浄化装置５及びＮＯｘ還元触媒１５が、第１実施形態と同様に高低差を持って吊り下げられている。
【００６８】
図６中、３５、３６は排ガス浄化装置５及びＮＯｘ還元触媒１５の外周に設けたフランジ、３７，３８はこのフランジ３５，３６をテーブル下面に取付ける吊りブラケットである。
【００６９】
また、排ガス浄化装置５及びＮＯｘ還元触媒１５と油圧ポンプ４との間に防火用の隔壁３９が設けられ、この隔壁３９よりも右側で油圧ポンプ４の上方がメンテナンス空間Ｓとなる。
【００７０】
この構成によっても、第１実施形態と基本的に同じ効果を得ることができる。
【００７１】
他の実施形態
(１)  支持脚２１に関して、上記実施形態では主脚２５と補助脚２６とによって支持脚２１を構成したが、主脚２５のみによって支持脚２１を構成してもよい。
【００７２】
この場合、支持脚２１(主脚２５)を、直交する二つの接合面を持った複数の脚部品によって構成し、上記実施形態と同様の各方向の自由度を確保するようにしてもよい。
【００７３】
また、本発明においては、上下、前後、左右全方向の自由度(位置調整機能)は必須ではなく、必要に応じて上下、前後、左右のうちの一または二方向の自由度を持たせてもよいし、自由度０(位置調整不能)としてもよい。
【００７４】
(２)  上記第１実施形態では、テーブル２２の排ガス浄化装置設置部２２ａを前後方向の中間部のみに設けたが、同設置部２２ａを前後方向の全長部分に設けてもよい。
【００７５】
この場合、支持脚２１に同設置部２２ａの支持部分を設けるのが望ましい。
【００７６】
(３)  支持手段としてのテーブル２２を板状でなく、梁材を組み合わせた枠体として構成してもよい。
【００７７】
また、テーブル２２と支持脚２１を、排ガス浄化装置５を支持する部分とＮＯｘ還元触媒１５を支持する部分とに分けて構成してもよい。
【００７８】
(４)  上記実施形態では、エンジン３がエンジンルーム２に左右方向に設けられ、このエンジン３の右側方に油圧ポンプ４が設けられるとともに、この油圧ポンプ４の上方を前後方向に横切る状態で排ガス後処理装置が設置される場合を例にとったが、本発明においてはこれらの前後、左右の方向性は限定されず、実機のスペース事情等に応じて適宜変更することができる。
【００７９】
(５)  本発明は油圧ショベルに限らず、上記実施形態と同様に機械のフレームに排ガス後処理装置が設けられる建設機械に広く適用することができる。
【符号の説明】
【００８０】
１  アッパーフレーム(機械のフレーム)
２  エンジンルーム
３  エンジン
４  油圧ポンプ
５  排ガス浄化装置
１０  フレキシブル排気管
１２  ガードパネル
１３  メンテナンス口
１５  還元触媒
２１  支持脚
２２  テーブル
２２ａ  テーブルの還元触媒設置部
２２ｂ  同、排ガス浄化装置設置部
Ｓ  油圧ポンプのメンテナンス空間
２３，２４  アッパーフレームのブラケット
２５  支持脚を構成する主脚
２６  同、補助脚
２８  支持脚をテーブルに取付けるボルト
２９  支持脚をフレームに取付けるボルト、ナット
３０，３１  補助脚を構成する脚部品
３２  脚部品同士を連結するボルト、ナット
３３  補助脚を支持脚に取付けるボルト、ナット
３４  補助脚をフレームに取付けるボルト、ナット
【図１】
0005630216.tif 000002
【図２】
0005630216.tif 000003
【図３】
0005630216.tif 000004
【図４】
0005630216.tif 000005
【図５】
0005630216.tif 000006
【図６】
0005630216.tif 000007
【図７】
0005630216.tif 000008
【図８】
0005630216.tif 000009
【図９】
0005630216.tif 000010